(57)【要約】      （修正有）【課題】現金取扱装置のユーザーの操作を妨げないテーブルを提供する。【解決手段】現金取扱装置に装着されるテーブル１であって、テーブル本体部１０と、前記現金取扱装置に装着されるベース部２０と、前記テーブル本体部を前後方向に移動可能に前記ベース部に接続するスライドレール部３０と、を含むテーブル。【選択図】図１
2018136669.tif 000002
【特許請求の範囲】
【請求項１】
現金取扱装置に装着されるテーブルであって、
テーブル本体部と、
前記現金取扱装置に装着されるベース部と、
前記テーブル本体部を前後方向に移動可能に前記ベース部に接続するスライドレール部と、を含むテーブル。
【請求項２】
請求項１に記載のテーブルであって、
前記スライドレール部が斜めに配設されており、前記テーブル本体部が自重で前方に移動する、テーブル。
【請求項３】
請求項１又は２に記載のテーブルであって、
前記スライドレール部を上下方向から挟むように設けられるレール補強板を含む、テーブル。
【請求項４】
請求項１〜３のいずれか一項に記載のテーブルであって、
前記テーブル本体部と前記ベース部には、互いに前後方向に向かい合うストッパー板がそれぞれ設けられている、テーブル。
【請求項５】
請求項１〜４のいずれか一項に記載のテーブルであって、
前記テーブル本体部の側面板の上部に、前記ベース部の側面板の上端面と交差するように上端補強板が設けられている、テーブル。
【請求項６】
請求項１〜５のいずれか一項に記載のテーブルであって、
前記テーブル本体部の側面板の下部に、前記ベース部の側面板の下端面と交差するように下端補強板が設けられている、テーブル。
【請求項７】
請求項１〜６のいずれか一項に記載のテーブルであって、
前記テーブル本体部の天板より下の左右の少なくとも一方に、フックが設けられている、テーブル。
【請求項８】
請求項７に記載のテーブルであって、
前記フックは平面視において天板に隠れる位置に設けられている、テーブル。
【発明の詳細な説明】
【技術分野】
【０００１】
本発明は、テーブルに関する。
【背景技術】
【０００２】
ＡＴＭ（Automatic Teller Machine）等の現金取扱装置には、現金取扱装置を操作する際のユーザーの利便性の向上のため、ユーザーの荷物を載置するテーブルが設けられることがある。特許文献１には、ＡＴＭ正面側に取り付け可能なテーブルについて記載されている。
【先行技術文献】
【特許文献】
【０００３】
【特許文献１】特開２０１５−２２５４７２号公報
【発明の概要】
【発明が解決しようとする課題】
【０００４】
特許文献１に記載のテーブルは、ＡＴＭ本体の正面側に出っ張った状態で設けられる。そのため、身長の低いユーザーや車椅子に乗っているユーザーがＡＴＭを使う際に、テーブルが邪魔になってＡＴＭを操作し難くなることがある。一方で、テーブルを使いたいというユーザーも多数いる。
【０００５】
本発明の目的は、現金取扱装置に取り付けたテーブルが現金取扱装置のユーザー操作を妨げないようにすることにある。
【課題を解決するための手段】
【０００６】
上記の課題を解決する本発明の一態様は、現金取扱装置に装着されるテーブルであって、テーブル本体部と、前記現金取扱装置に装着されるベース部と、前記テーブル本体部を前後方向に移動可能に前記ベース部に接続するスライドレール部と、を含む。
【０００７】
上記のテーブルにおいて、前記スライドレール部が斜めに配設されており、前記テーブル本体部が自重で前方に移動してもよい。
【０００８】
上記のいずれかのテーブルにおいて、前記スライドレール部を上下方向から挟むように設けられるレール補強板を含んでもよい。
【０００９】
上記のいずれかのテーブルにおいて、前記テーブル本体部と前記ベース部には、互いに前後方向に向かい合うストッパー板がそれぞれ設けられてもよい。
【００１０】
上記のいずれかのテーブルにおいて、前記テーブル本体部の側面板の上部に、前記ベース部の側面板の上端面と交差するように上端補強板が設けられてもよい。
【００１１】
上記のいずれかのテーブルにおいて、前記テーブル本体部の側面板の下部に、前記ベース部の側面板の下端面と交差するように下端補強板が設けられてもよい。
【００１２】
上記のいずれかのテーブルにおいて、前記テーブル本体部の天板より下の左右の少なくとも一方に、フックが設けられてもよい。
【００１３】
上記のテーブルにおいて、前記フックは平面視において天板に隠れる位置に設けられてもよい。
【発明の効果】
【００１４】
本発明によれば、現金取扱装置のユーザーの操作を妨げないテーブルを提供することができる。
【００１５】
上記した以外の課題、構成、及び効果は、以下の実施形態の説明により明らかにされる。
【図面の簡単な説明】
【００１６】
【図１】本発明の一実施形態に係るテーブルの一例を示す斜視図である。
【図２】テーブル本体部の一例の側面図である。
【図３】テーブル本体部の一例の底面図である。
【図４】ベース部の一例の側面図である。
【図５】テーブルの一例の右下方向から見た斜視図である。
【図６】テーブルの一例の側面図である。
【図７】テーブルの一例の収納状態の斜視図である。
【図８】テーブルの一例の収納状態の側面図である。
【図９】スライドレール部の一例を示す図（収納状態の背面図）である。
【図１０】スライドレール部の一例を示す図（引出状態の背面図）である。
【図１１】ストッパー板の一例（図６のＡ部）を示す図である。
【図１２】ストッパー板の他の例（図６のＡ部）を示す図である。
【図１３】本発明の一実施形態に係るテーブルの現金取扱装置への装着状態を示す図である。
【図１４】本発明の一実施形態に係るテーブルの現金取扱装置への装着状態を示す図である。
【発明を実施するための形態】
【００１７】
以下、本発明の実施形態の一例について、図面を参照して説明する。なお、以下では、本発明の各構成について、ユーザーに面する正面側（手前側）方向を前方とし、その反対側の背面側（奥側）方向を後方として説明する。
【００１８】
図１は本発明の一実施形態に係るテーブル１の斜視図で、図１３はテーブル１の現金取扱装置への装着状態を示す図ある。テーブル１は現金取扱装置Ｃに装着されて使用される。現金取扱装置Ｃは、ユーザーに情報を提示したり、ユーザーが情報を入力したりするための操作部Ｃ１を有する。操作部Ｃ１は本体部分から前方に張り出してユーザーの操作に供される。操作部Ｃ１の下方には前方から開閉可能なドアＣ２が配置され、管理者側の保守時等に利用される。テーブル１は背面側がドアＣ２と当接するように現金取扱装置Ｃに装着される。
【００１９】
図１に示すように、テーブル１は、テーブル本体部１０と、ベース部２０と、スライドレール部３０とを含む。テーブル本体部１０は、ベース部２０の前方に、ベース部２０の背面と所定間隔離されている。図１３に示すように、テーブル本体部１０は、現金取扱装置Ｃの操作部Ｃ１よりも前方に張り出してユーザーが手荷物を載置するのに利用される。ここでは、テーブル本体部１０の現金取扱装置Ｃ本体からの張出幅をＭ１とする。
【００２０】
図２はテーブル本体部１０の側面図で、図３はテーブル本体部１０の底面図である。テーブル本体部１０は、上記のようにユーザーが手荷物を載置する本体部分で、テーブル１の外郭をなす部分である。テーブル本体部１０は、台座部１１と、台座部１１に固定される天板１２とを含む。
【００２１】
台座部１１は、正面板１１１と左右にそれぞれ側面板１１２を有する筐体で、金属製素材等で形成される。台座部１１は平面視コの字形状に形成され、コの字形状の開口が後方に向かっている。正面板１１１は矩形の板状である。側面板１１２は、四角形の板状であり、上端が水平に伸びて正面板１１１の上端と接続し、下端が後端側から前端側に亘って下方に下がって正面板１１１の下端と接続している。言い換えれば、側面板１１２は、前端の上下幅Ｈ１が後端の上下幅Ｈ２より大きい形状である。ここでは、側面板１１２の下端の傾斜角をα１とする。
【００２２】
天板１２は、ユーザーの手荷物が直接載置される板状の部分である。天板１２には、例えば、白色や透明のアクリル板が用いられる。天板１２は、例えばネジ１２１等の固定手段で台座部１１の後述の上端補強板１７に固定される。
【００２３】
図４はベース部２０の側面図である。ベース部２０は、現金取扱装置等に装着される部分である。ベース部２０は、背面板２１と、一対の側面板２２と、取付部２３とを含む。ベース部２０は、金属製素材で形成される。ベース部２０は平面視コの字形状に形成され、コの字形状の開口が前方に向かっている。
【００２４】
背面板２１は矩形板状である。側面板２２は、上端が水平に伸びて背面板２１の上端と接続し、下端が後端側から前端側に亘って下方に傾斜する形状である。ここでは、側面板２２の下端の傾斜角をα２とする。傾斜角α２は傾斜角α１と同等である。図示のように、側面板２２の上端と背面板２１の上端との接続部にＲ形状を設けてもよい。
【００２５】
取付部２３は、背面板２１の上端に、後方に延出するように接続される。取付部２３は、左右に伸びる有底溝状で、側面視フック状である。取付部２３は、板状の部材を屈曲させて背面板２１と一体に形成されてもよい。取付部２３は、溝状部分の前後幅を現金取扱装置ＣのドアＣ２の厚みよりやや大きく形成され、ドアＣ２を開いて取付部２３の溝状部分をドアＣ２の上端に引っ掛けることによって、ベース部２０が現金取扱装置Ｃに装着される。
【００２６】
取付部２３は、左右幅を背面板２１以上に形成することができるので、テーブル本体部１０に過度な加重が掛った場合もテーブル１全体を支持できる。また、テーブル１の現金取扱装置への装着（取付け）は、取付部２３をドアＣ２に引っ掛けるだけで済むので、現金取扱装置の保守作業等の場合も取り外しやすくなる。
【００２７】
ベース部２０は、左右幅が台座部１１より小さく、ベース部２０の側面板２２と台座部１１の側面板１１２との間には所定の側面間隔Ｓ（図９、図１０に図示）が形成される。側面間隔Ｓには下記のスライドレール部３０が配置される。
【００２８】
図５は、テーブル１を右下方向から見た斜視図である。スライドレール部３０は、ベース部２０の一対の側面板２２のそれぞれに配設される一対のベース側レール３１と、テーブル本体部１０の一対の側面板１１２のそれぞれに配設される一対のテーブル側レール３２とを含む。
【００２９】
図６はテーブル１の側面図である。ベース側レール３１は、側面板２２の外壁面にネジ等の固定手段で側面板２２の下端と平行するように取り付けられる。また、テーブル側レール３２は、図６において破線で示しているように、ベース側レール３１と対応した位置においてこれと対向するように、台座部１１の側面板の内壁面にネジ等の固定手段で取り付けられる。ベース側レール３１とテーブル側レール３２は同じ傾斜角で下方に傾斜している。
【００３０】
ベース側レール３１とテーブル側レール３２は、ベアリングを介して組み合わせられ、互いにスライド移動可能に連結される。スライドレール部３０をこのように構成することで、テーブル本体部１０がベース部２０に接続され、前後方向に移動可能となる。なお、ここではベアリングを用いる構成でなくてもよく、ベース側レール３１がテーブル側レール３２上をスライドする構成であればよい。
【００３１】
テーブル１は、図６に示すように、ベース側レール３１の前端とテーブル側レール３２の後端とが重なっている状態にあり、テーブル本体部１０とベース部２０とが一部重なっている状態にある。ここでは、テーブル本体部１０とベース部２０の前端との重ね幅をＮ１とし、テーブル本体部１０とベース部２０の後端との間隔をＮ２とする。テーブル１は、テーブル本体部１０が後方に移動するにつれて重ね幅Ｎ１が大きくなり、ベース部２０のほとんどがテーブル本体部１０内に収納される収納状態となる。
【００３２】
図７はテーブル１の収納状態を示す斜視図で、図８はその側面図である。なお、図８では一部の内部構成を省略している。テーブル１は、収納状態では、ベース部２０が背面板２１及び取付部２３以外はテーブル本体部１０に収納される（隠れる）。そして、テーブル本体部１０が前方に移動するにつれて、重ね幅Ｎ１が小さくなり、間隔Ｎ２が大きくなる。逆にいえば、間隔Ｎ２は、テーブル本体部１０をベース部２０から引き出した引出幅でもあり、図１及び図５、図６に示すテーブル１は引出状態にあるとも言える。
【００３３】
テーブル１をこのように構成することで、図１４に示すように、操作部Ｃ１の操作にテーブル１が邪魔になると感じれば、ユーザーはテーブル本体部１０を奥側にスライドさせるだけで張出幅をＭ２まで縮ませて、テーブル１を操作部Ｃ１の下方奥に収容することができる。
【００３４】
図９は収納状態におけるテーブル１の背面図で、図１０は引出状態におけるテーブル１の背面図である。スライドレール部３０が、上記のように前端に向かって下方に下がっていることが確認できる。
【００３５】
テーブル１は、スライドレール部３０が所定の傾斜角で斜めに配設されているため、外力が除かれるとテーブル本体部１０が自重で前方に移動して再びユーザーが利用可能な引出状態になる。そのため、ユーザーはテーブル本体部１０をわざわざ引き出さなくても済む。操作部Ｃ１の操作が終わった後に、ユーザーが手荷物を整理するのに非常に便利である。
【００３６】
図１１はストッパー板を示す図で、図６におけるＡ部の内部構成（スライドレール部を除く）を示す図である。テーブル本体部１０とベース部２０にはそれぞれ互いに前後方向に向かい合うストッパー板が設けられる。具体的には、テーブル本体部１０の側面板１１２の後端の上下両方にそれぞれ上ストッパー板１３及び下ストッパー板１４が前後方向に直交して設けられ、ベース部２０の側面板２２の外壁面にそれぞれ上ストッパー板２４及び下ストッパー板２５が前後方向に直交して設けられる。上ストッパー板２４及び下ストッパー板２５は、図示のように互いに直角となる二つの板状部分を含んでＬ字形状に形成され、Ｌ字形状の一方の板で側面板２２に固定されてもよい。
【００３７】
図示のように引出状態では、テーブル本体部１０の上ストッパー板１３とベース部２０の上ストッパー板２４が向かい合って当接し、テーブル本体部１０の下ストッパー板１４とベース部２０の下ストッパー板２５が向かい合って当接して、テーブル本体部１０とベース部２０とが一部重なった位置で係止している。このように構成することで、テーブル本体部１０が前方に過度な力で引き出された場合にスライドレール部３０が損壊するのを防ぐことができる。また、テーブル本体部１０がベース部２０から外れなくなる。
【００３８】
図１２に示すように、上ストッパー板１３及び下ストッパー板１４の内側にそれぞれ上ストッパー当てゴム１５及び下ストッパー当てゴム１６が設けられてもよい。ストッパー当てゴムを介在させることで、ストッパー板の損傷を低減し、テーブル本体部１０が自重によって前方に移動した際のテーブル本体部１０のストッパー板とベース部２０のストッパー板との間の衝撃を和らげることができる。なお、上ストッパー当てゴム１５及び下ストッパー当てゴム１６は、ゴムに限らず、緩衝部材であれば他の素材であってもよい。
【００３９】
なお、一対の上ストッパー板１３、２４及び一対の下ストッパー板１４、２５を設ける例を説明したが、いずれか一方のみを設けてもよい。ストッパー当てゴムも同様である。
【００４０】
また、テーブル本体部１０は、図３及び図５に示すように、一対の側面板１１２の上部に、ベース部２０の側面板２２の上端面と交差するように板状の上端補強板１７がそれぞれ設けられてもよい。上端補強板１７を設けることで、天板１２に過度な加重がかかった場合でも、天板１２をより安定的に支持し、天板１２が傾かないようにすることができる。
【００４１】
また、テーブル本体部１０は、図３及び図５に示すように、一対の側面板１１２の下部に、ベース部２０の側面板２２の下端面と交差するように板状の下端補強板１８がそれぞれ設けられてもよい。下端補強板１８を設けることで、天板１２に過度な加重がかかった場合も、天板１２をより安定的に支持し、天板１２が傾かないようにすることができる。
【００４２】
下端補強板１８は、図示のように、テーブル本体部１０の後端近傍に設けることが望ましい。テーブル１が通常状態では引出状態にあるので、テーブル本体部１０のベース部２０と重なっている後端部分を支持するためである。
【００４３】
また、テーブル１は、図４〜図６に示すように、ベース部２０の一対の側面板２２のそれぞれにおいて、スライドレール部３０を上下方向から挟む上レール補強板２６と下レール補強板２７を設けられてもよい。上レール補強板２６は、下端面がスライドレール部３０の上端面と近接又は当接するように配置される。下レール補強板２７は、上端面がスライドレール部３０の下端面と近接又は当接するように配置される。これによって、天板１２に過度な加重が掛った場合でも、スライドレール部３０が外れたり、ずれたりしないようになる。また、上下からベース側レール３１をカバーして外力による損傷等を防ぐことができる。
【００４４】
上（下）レール補強板２６（２７）は、例えば、図示のように互いに直角となる二つの板状部分を含んで側面視Ｌ字形状に形成され、Ｌ字形状の一方の板で側面板２２に固定されてもよい。
【００４５】
また、図４〜６に示すように、ベース部２０の背面板２１の外壁面には背面当てゴム２８を設けられて、現金取扱装置Ｃとの当接をより密接にするとともに、当接面が傷付くことを防ぐようにしてもよい。なお、背面当てゴム２８は、ゴムに限らず、緩衝部材であれば他の素材であってもよい。
【００４６】
また、図１、図７等に示すように、テーブル１は、テーブル本体部１０の天板１２より下の左、右の少なくとも一方に、フック４０が設けられてもよい。フック４０は、例えばネジ等で台座部１１の側面板１１２に固定される。ユーザーは、フック４０に鞄や傘等を掛けて利用することができる。
【００４７】
図３、図９、図１０に示すように、フック４０は、天板１２から出っ張らないように平面視において天板１２に隠れる位置に設けられることが望ましい。ユーザーの衣服等に引っ掛かることを防ぐためである。
【００４８】
なお、テーブル１は、通常は収納状態にあり、使用時にのみテーブル本体部１０を引き出して利用するようにしてもよい。この場合は、台座部１１の後端に、ベース部２０の背面板２１と向かい合うようにマグネットシート等の係止部材を設けて、テーブル本体部１０が自動に前方に移動しないようにすることができる。
【００４９】
また、台座部１１の側面板１１２及びベース部２０の側面板２２は、傾斜しているスライドレール部３０の摺動に支障がない程度の上下幅差があれば、矩形に形成されてもよい。
【００５０】
また、スライドレール部３０は水平に設けられてもよい。台座部１１の側面板１１２及びベース部２０の側面板２２も合わせて矩形に形成されてもよい。この場合は、テーブル本体部１０が自重で移動しないため、ユーザーが必要に応じてテーブル本体部１０を前方又は後方に移動させることになる。
【００５１】
なお、本発明に係るテーブルは現金取扱装置以外にも適用可能である。
【符号の説明】
【００５２】
１…テーブル、１０…テーブル本体部、１１…台座部、１１１…正面板、１１２…側面板、１２…天板、１３…上ストッパー板、１４…下ストッパー板、１５…上ストッパー当てゴム、１６…下ストッパー当てゴム、１７…上端補強板、１８…下端補強板、２０…ベース部、２１…背面板、２２…側面板、２３…取付部、２４…上ストッパー板、２５…下ストッパー板、２６…上レール補強板、２７…下レール補強板、２８…背面当てゴム、３０…スライドレール部、３１…ベース側レール、３２…テーブル側レール、４０…フック
【図１】
2018136669.tif 000003
【図２】
2018136669.tif 000004
【図３】
2018136669.tif 000005
【図４】
2018136669.tif 000006
【図５】
2018136669.tif 000007
【図６】
2018136669.tif 000008
【図７】
2018136669.tif 000009
【図８】
2018136669.tif 000010
【図９】
2018136669.tif 000011
【図１０】
2018136669.tif 000012
【図１１】
2018136669.tif 000013
【図１２】
2018136669.tif 000014
【図１３】
2018136669.tif 000015
【図１４】
2018136669.tif 000016